(57)【要約】【課題】  ＵＭインターフェース上で必要とされるＲＴＴ値を、ＲＭインターフェース上で必要とされるＲＴＴ値に代替することにより、コンピュータのダイアルアップネットワーク接続サービスを利用するための認証時間を短縮できる、端末機を利用するダイアルアップネットワーク接続のための認証システム及びその方法を提供する。【解決手段】  認証を要求するコンピュータの認証ＩＤ及び認証パスワードを有する認証要求パケットをスヌープし、前記認証要求パケットに対する確認パケットを生成する端末機を含むことを特徴とする端末機を利用するダイアルアップネットワーク接続のための認証システム。【選択図】  図１
2006067583.tif 000002
【特許請求の範囲】
【請求項１】
認証を要求するコンピュータの認証ＩＤ及び認証パスワードを有する認証要求パケットをスヌープし、前記認証要求パケットに対する確認パケットを生成する端末機を含むことを特徴とする端末機を利用するダイアルアップネットワーク接続のための認証システム。
【請求項２】
前記端末機は、前記生成された確認パケットを前記コンピュータに転送することを特徴とする請求項１に記載の端末機を利用するダイアルアップネットワーク接続のための認証システム。
【請求項３】
前記端末機は、現在スヌープしているコンピュータの認証ＩＤ及び認証パスワードと、以前に認証されて保存された認証ＩＤ及び認証パスワードとを比較することを特徴とする請求項１に記載の端末機を利用するダイアルアップネットワーク接続のための認証システム。
【請求項４】
前記端末機は、前記以前に認証された認証ＩＤ及び認証パスワードが保存され、現在のコンピュータの認証ＩＤ及び新しい認証パスワードに更新される不揮発性メモリを含むことを特徴とする請求項３に記載の端末機を利用するダイアルアップネットワーク接続のための認証システム。
【請求項５】
前記端末機は、ネットワークから前記認証要求パケットに対する応答パケットを受信し、前記受信された応答パケットが確認パケットであると、前記受信された確認パケットを破棄し、前記受信された応答パケットが否定確認パケットであると、その事実を前記コンピュータに通知して前記コンピュータの呼を終了することを特徴とする請求項１に記載の端末機を利用するダイアルアップネットワーク接続のための認証システム。
【請求項６】
認証ＩＤ及び認証パスワードを有する認証要求パケットを転送することにより認証を要求するコンピュータと、
前記転送された認証要求パケットをフォワード及びスヌープし、前記認証要求パケットに対する確認パケットを生成する端末機と、
前記フォワードされた認証要求パケットに対する応答パケットを生成するネットワークと、
を含むことを特徴とする端末機を利用するダイアルアップネットワーク接続のための認証システム。
【請求項７】
前記端末機は、前記生成された認証要求パケットに対する確認パケットを前記コンピュータに転送することを特徴とする請求項６に記載の端末機を利用するダイアルアップネットワーク接続のための認証システム。
【請求項８】
前記ネットワークは、前記生成された認証要求パケットに対する応答パケットを前記端末機に転送することを特徴とする請求項６に記載の端末機を利用するダイアルアップネットワーク接続のための認証システム。
【請求項９】
前記端末機は、前記転送された応答パケットが確認パケットであると、前記応答パケットを破棄し、前記転送された応答パケットが否定確認パケットであると、前記コンピュータの呼を終了することを特徴とする請求項８に記載の端末機を利用するダイアルアップネットワーク接続のための認証システム。
【請求項１０】
端末機が認証を要求するコンピュータから認証ＩＤ及び認証パスワードを有する認証要求パケットを受信する段階と、
前記端末機が前記受信された認証要求パケットに対する確認パケットを生成する段階と、
前記端末機が前記生成された確認パケットを前記コンピュータに転送する段階と、
を含むことを特徴とする端末機を利用するダイアルアップネットワーク接続のための認証方法。
【請求項１１】
前記生成する段階は、
前記受信された認証要求パケットの認証ＩＤ及び認証パスワードが以前に認証されて不揮発性メモリに保存された認証ＩＤ及び認証パスワード中に存在するか否かを判断する段階と、
前記受信された認証要求パケットの認証ＩＤ及び認証パスワードが前記以前に認証されて不揮発性メモリに保存された認証ＩＤ及び認証パスワード中に存在する場合、前記認証要求パケットに対する確認パケットを生成する段階と、
を含むことを特徴とする請求項１０に記載の端末機を利用するダイアルアップネットワーク接続のための認証方法。
【請求項１２】
前記受信された認証要求パケットの認証ＩＤ及び認証パスワードが前記以前に認証されて不揮発性メモリに保存された認証ＩＤ及び認証パスワード中に存在しない場合、前記受信された認証要求パケットの認証ＩＤ及び認証パスワードを前記不揮発性メモリに保存することを特徴とする請求項１１に記載の端末機を利用するダイアルアップネットワーク接続のための認証方法。
【請求項１３】
前記生成する段階は、
前記端末機が前記受信された認証要求パケットをネットワークにフォワードする段階を含むことを特徴とする請求項１０に記載の端末機を利用するダイアルアップネットワーク接続のための認証方法。
【請求項１４】
前記ネットワークが前記フォワードされた認証要求パケットに対する応答パケットを生成する段階をさらに含むことを特徴とする請求項１３に記載の端末機を利用するダイアルアップネットワーク接続のための認証方法。
【請求項１５】
前記端末機が前記生成された応答パケットを前記ネットワークから受信する段階と、
前記受信された応答パケットが確認パケットの場合、前記受信された確認パケットを破棄し、前記受信された応答パケットが否定確認パケットの場合、その事実を前記コンピュータに通知し前記コンピュータの呼を終了する段階と、
をさらに含むことを特徴とする請求項１４に記載の端末機を利用するダイアルアップネットワーク接続のための認証方法。
【発明の詳細な説明】
【技術分野】
【０００１】
本発明は、端末機を利用するダイアルアップネットワーク接続（dial-up networking connection）に関し、特に、端末機を利用するダイアルアップネットワーク接続のための認証システム及びその方法に関する。
【背景技術】
【０００２】
以下、従来の端末機を利用するダイアルアップネットワーク接続のための認証処理方法を図３を参照して説明する。
【０００３】
図３は、従来の端末機を利用するダイアルアップネットワーク接続のための認証処理過程を示す説明図である。
【０００４】
図３に示すように、使用者がコンピュータ１でダイアルアップネットワーク接続サービスを利用しようとするとき、コンピュータ１の認証モジュールは、ダイアルアップネットワーク接続サービスを利用するための認証を要求するために、端末機（例えば、移動通信端末機２）を利用して、コアネットワークの端に位置したＡＡＡ（Authentication Authorization Accounting）サーバーに認証要求パケット（PAP_Authenticate_Request）を転送する。その後、コンピュータ１は、移動通信端末機２から前記認証要求パケットに対する確認パケット（PAP_Authentiate_ACK）を受信し、認証段階の次の段階であるＩＰＣＰ（IPControl Protocol）ネゴシエーション段階に進む。
【０００５】
このような従来の端末機を利用するダイアルアップネットワーク接続のための認証方法において、移動通信端末機２は、コンピュータ１から受信された認証要求パケットを未処理のまま前記ＡＡＡサーバーにフォワードし、前記認証要求パケットに対する前記ＡＡＡサーバーの応答である応答パケットを未処理のままコンピュータ１の認証モジュールにフォワードする。また、前記認証要求パケットに対する応答パケットが確認パケットであると、コンピュータ１は、認証段階の次の段階であるＩＰＣＰネゴシエーション段階に進む。
【発明の開示】
【発明が解決しようとする課題】
【０００６】
しかしながら、従来の端末機を利用するダイアルアップネットワーク接続のための認証方法においては、コンピュータが端末機を利用してＡＡＡサーバーに認証要求パケットを転送し、前記ＡＡＡサーバーから前記認証要求パケットに対する確認パケットを受信した後に、次の段階に進む。
【０００７】
従って、前記コンピュータは、前記認証要求パケットを転送して認証を要求した後に次の段階に進むまで何も動作しないため、動作をしない時間だけ前記コンピュータの認証時間が長くなるという問題があった。
【０００８】
即ち、コンピュータの認証要求のための認証情報（例えば、認証ＩＤ及び認証パスワード）がネットワーク側に転送された後、前記認証要求に対する応答パケットが受信されるまでのＲＴＴ（Round Trip Time）値がＵＭ（***）インターフェース上で必要とされるという問題があった。
【０００９】
本発明は、このような従来技術の問題を解決するためになされたもので、コンピュータのダイアルアップネットワーク接続サービスを利用するための認証処理過程で、ＵＭインターフェース上で必要とされるＲＴＴ値を、ＲＭ（***）インターフェース上で必要とされるＲＴＴ値に代替することにより、コンピュータのダイアルアップネットワーク接続サービスを利用するための認証時間を短縮することができる、端末機を利用するダイアルアップネットワーク接続のための認証システム及びその方法を提供することを目的とする。
【課題を解決するための手段】
【００１０】
このような目的を達成するために、本発明による端末機を利用するダイアルアップネットワーク接続のための認証システムは、認証ＩＤ及び認証パスワードを有する認証要求パケットを転送することにより認証を要求するコンピュータと、前記転送された認証要求パケットをフォワード及びスヌープし、前記認証要求パケットに対する確認パケットを生成する端末機と、前記フォワードされた認証要求パケットに対する応答パケットを生成するネットワークとを含むことを特徴とする。
【００１１】
本発明による端末機を利用するダイアルアップネットワーク接続のための認証方法は、端末機が認証を要求するコンピュータから認証ＩＤ及び認証パスワードを有する認証要求パケットを受信する段階と、前記端末機が前記受信された認証要求パケットに対する確認パケットを生成する段階と、前記端末機が前記生成された確認パケットを前記コンピュータに転送する段階とを含むことを特徴とする。
【００１２】
上記目的を達成するために、本発明は、例えば、以下の手段を提供する。
（項目１）
認証を要求するコンピュータの認証ＩＤ及び認証パスワードを有する認証要求パケットをスヌープし、前記認証要求パケットに対する確認パケットを生成する端末機を含むことを特徴とする端末機を利用するダイアルアップネットワーク接続のための認証システム。
（項目２）
前記端末機は、前記生成された確認パケットを前記コンピュータに転送することを特徴とする項目１に記載の端末機を利用するダイアルアップネットワーク接続のための認証システム。
（項目３）
前記端末機は、現在スヌープしているコンピュータの認証ＩＤ及び認証パスワードと、以前に認証されて保存された認証ＩＤ及び認証パスワードとを比較することを特徴とする項目１に記載の端末機を利用するダイアルアップネットワーク接続のための認証システム。
（項目４）
前記端末機は、前記以前に認証された認証ＩＤ及び認証パスワードが保存され、現在のコンピュータの認証ＩＤ及び新しい認証パスワードに更新される不揮発性メモリを含むことを特徴とする項目３に記載の端末機を利用するダイアルアップネットワーク接続のための認証システム。
（項目５）
前記端末機は、ネットワークから前記認証要求パケットに対する応答パケットを受信し、前記受信された応答パケットが確認パケットであると、前記受信された確認パケットを破棄し、前記受信された応答パケットが否定確認パケットであると、その事実を前記コンピュータに通知して前記コンピュータの呼を終了することを特徴とする項目１に記載の端末機を利用するダイアルアップネットワーク接続のための認証システム。
（項目６）
認証ＩＤ及び認証パスワードを有する認証要求パケットを転送することにより認証を要求するコンピュータと、
前記転送された認証要求パケットをフォワード及びスヌープし、前記認証要求パケットに対する確認パケットを生成する端末機と、
前記フォワードされた認証要求パケットに対する応答パケットを生成するネットワークと、
を含むことを特徴とする端末機を利用するダイアルアップネットワーク接続のための認証システム。
（項目７）
前記端末機は、前記生成された認証要求パケットに対する確認パケットを前記コンピュータに転送することを特徴とする項目６に記載の端末機を利用するダイアルアップネットワーク接続のための認証システム。
（項目８）
前記ネットワークは、前記生成された認証要求パケットに対する応答パケットを前記端末機に転送することを特徴とする項目６に記載の端末機を利用するダイアルアップネットワーク接続のための認証システム。
（項目９）
前記端末機は、前記転送された応答パケットが確認パケットであると、前記応答パケットを破棄し、前記転送された応答パケットが否定確認パケットであると、前記コンピュータの呼を終了することを特徴とする項目８に記載の端末機を利用するダイアルアップネットワーク接続のための認証システム。
（項目１０）
端末機が認証を要求するコンピュータから認証ＩＤ及び認証パスワードを有する認証要求パケットを受信する段階と、
前記端末機が前記受信された認証要求パケットに対する確認パケットを生成する段階と、
前記端末機が前記生成された確認パケットを前記コンピュータに転送する段階と、
を含むことを特徴とする端末機を利用するダイアルアップネットワーク接続のための認証方法。
（項目１１）
前記生成する段階は、
前記受信された認証要求パケットの認証ＩＤ及び認証パスワードが以前に認証されて不揮発性メモリに保存された認証ＩＤ及び認証パスワード中に存在するか否かを判断する段階と、
前記受信された認証要求パケットの認証ＩＤ及び認証パスワードが前記以前に認証されて不揮発性メモリに保存された認証ＩＤ及び認証パスワード中に存在する場合、前記認証要求パケットに対する確認パケットを生成する段階と、
を含むことを特徴とする項目１０に記載の端末機を利用するダイアルアップネットワーク接続のための認証方法。
（項目１２）
前記受信された認証要求パケットの認証ＩＤ及び認証パスワードが前記以前に認証されて不揮発性メモリに保存された認証ＩＤ及び認証パスワード中に存在しない場合、前記受信された認証要求パケットの認証ＩＤ及び認証パスワードを前記不揮発性メモリに保存することを特徴とする項目１１に記載の端末機を利用するダイアルアップネットワーク接続のための認証方法。
（項目１３）
前記生成する段階は、
前記端末機が前記受信された認証要求パケットをネットワークにフォワードする段階を含むことを特徴とする項目１０に記載の端末機を利用するダイアルアップネットワーク接続のための認証方法。
（項目１４）
前記ネットワークが前記フォワードされた認証要求パケットに対する応答パケットを生成する段階をさらに含むことを特徴とする項目１３に記載の端末機を利用するダイアルアップネットワーク接続のための認証方法。
（項目１５）
前記端末機が前記生成された応答パケットを前記ネットワークから受信する段階と、
前記受信された応答パケットが確認パケットの場合、前記受信された確認パケットを破棄し、前記受信された応答パケットが否定確認パケットの場合、その事実を前記コンピュータに通知し前記コンピュータの呼を終了する段階と、
をさらに含むことを特徴とする項目１４に記載の端末機を利用するダイアルアップネットワーク接続のための認証方法。
【発明の効果】
【００１３】
本発明による端末機を利用するダイアルアップネットワーク接続のための認証システム及びその方法においては、コンピュータのダイアルアップネットワーク接続サービスを利用するための認証処理過程で、ＵＭインターフェース上で必要とされるＲＴＴ値を、ＲＭインターフェース上で必要とされるＲＴＴ値に代替することにより、コンピュータのダイアルアップネットワーク接続サービスを利用するための認証時間を短縮できるという効果がある。
【発明を実施するための最良の形態】
【００１４】
以下、コンピュータのダイアルアップネットワーク接続サービスを利用するための認証処理過程で、ＵＭインターフェース上で必要とされるＲＴＴ値を、ＲＭインターフェース上で必要とされるＲＴＴ値に代替することにより、コンピュータのダイアルアップネットワーク接続サービスを利用するための認証時間を短縮することができる、本発明による端末機を利用するダイアルアップネットワーク接続のための認証システム及びその方法の好ましい実施形態を図１及び図２を参照して説明する。
【００１５】
図１は、本発明による端末機を利用するダイアルアップネットワーク接続のための認証処理過程を示す説明図である。
【００１６】
図１に示すように、本発明による端末機を利用するダイアルアップネットワーク接続のための認証システムは、認証を要求するコンピュータ１と、認証を要求するコンピュータ１の認証ＩＤ及び認証パスワードを有する認証要求パケットをスヌープし、前記認証要求パケットに対する確認パケットを生成する移動通信端末機２と、移動通信端末機２から前記認証要求パケットを受信し、前記受信された認証要求パケットに対する確認パケットを移動通信端末機２に転送するネットワーク３とから構成される。
【００１７】
このように構成された本発明による端末機を利用するダイアルアップネットワーク接続のための認証システムの動作を図２を参照して説明する。
【００１８】
図２は、本発明による端末機を利用するダイアルアップネットワーク接続のための認証方法を示すフローチャートである。
【００１９】
図２に示すように、本発明による端末機を利用するダイアルアップネットワーク接続のための認証方法は、使用者がコンピュータを利用して認証ＩＤ及び認証パスワードを入力する段階（Ｓ３１）と、前記コンピュータが前記入力された認証ＩＤ及び認証パスワードを有する認証要求パケットを端末機に転送する段階（Ｓ３２）と、前記端末機に転送された認証ＩＤ及び認証パスワードが前記端末機に以前に認証されて保存された認証ＩＤ及び認証パスワード中に存在する場合、前記端末機が前記認証要求パケットに対する確認パケットを生成し、前記認証要求パケットをネットワークにフォワードする段階（Ｓ３４）と、前記端末機が前記生成された確認パケットを前記コンピュータに転送する段階（Ｓ３５）と、前記端末機が前記フォワードされた認証要求パケットに対する応答パケットを前記ネットワークから受信する段階（Ｓ３６）と、前記受信された応答パケットが確認パケットの場合、前記受信された応答パケットを破棄する段階（Ｓ３８）と、前記受信された応答パケットが否定確認パケット（PAP_Authenticate_NACK）の場合、その事実を前記コンピュータに通知し、前記コンピュータの呼を終了する段階（Ｓ３９）とからなる。
【００２０】
以下、このような本発明による端末機を利用するダイアルアップネットワーク接続のための認証方法をより詳しく説明する。以下では、本発明による端末機を移動通信端末機（Mobile Communication Terminal；ＭＣＴ）と仮定して説明する。
【００２１】
使用者がダイアルアップネットワーク接続サービスを利用しようとするとき、まず、使用者は、コンピュータ１に認証ＩＤ及び認証パスワードを入力し、ダイアルアップネットワーク接続サービスの開始ボタンをクリックする（Ｓ３１）。このとき、コンピュータ１は、移動通信端末機２に呼を発信するためにＡＴコマンドを送信し、前記ＡＴコマンドを受信した移動通信端末機２は、移動通信端末機２のＲＬＰ（Radio Link Protocol）を初期のＮＵＬＬ状態からＥＳＴＡＢＬＩＳＨ状態に遷移させ、トラフィックチャネルが割り当てられ、その事実をコンピュータ１に通知する。
【００２２】
コンピュータ１は、前記の通知を受けた後、ＰＰＰ（Point to Point Protocol）セットアップ過程を開始し、コンピュータ１の認証モジュールが、前記使用者が入力した認証ＩＤ及び認証パスワードを有する認証要求パケットを移動通信端末機２に転送する（Ｓ３２）。
【００２３】
前記認証要求パケットを受信した移動通信端末機２は、移動通信端末機２に予め保存された認証情報、即ち、以前に認証されて保存された認証ＩＤ及び認証パスワードに関する情報に、前記認証ＩＤ及び認証パスワードが存在するかどうかを判断する（Ｓ３３）。ここで、前記予め保存された認証情報は、不揮発性メモリ（例えば、ＲＯＭ）に保存される。また、前述したような機能を果たすために、移動通信端末機２は、コンピュータ１から受信される認証要求パケットを、従来技術のようにネットワーク３にフォワードするだけでなく、スヌープもしなければならない。ここで、前記スヌープとは、移動通信端末機２に受信される認証要求パケットをモニタリングし、保存する機能をいう。
【００２４】
前記認証ＩＤ及び認証パスワードが前記以前に認証されて保存された認証ＩＤ及び認証パスワード中に存在すると、移動通信端末機２は、前記認証要求パケットに対する確認パケットを生成し、前記認証要求パケットをネットワーク３にフォワードする（Ｓ３４）。しかしながら、前記認証ＩＤ及び認証パスワードが前記以前に認証されて保存された認証ＩＤ及び認証パスワード中に存在しないと、前記認証ＩＤ及び認証パスワードを移動通信端末機２に保存（即ち、前記不揮発性メモリを前記認証ＩＤ及び認証パスワードに更新）し、従来技術と同様に、コンピュータ１は、ネットワーク３から応答パケットを受信して認証段階を行う（Ｓ４０）。
【００２５】
移動通信端末機２は、前記生成した確認パケットをコンピュータ１に転送する（Ｓ３５）。次に、前記確認パケットを受信したコンピュータ１は、ネットワーク３から受信される確認パケットを待つことなく、ダイアルアップネットワーク接続のために認証段階の次の段階であるＩＰＣＰネゴシエーション段階に進む。
【００２６】
また、ネットワーク３は、移動通信端末機２がフォワードした前記認証要求パケットに対する応答パケットを生成し、前記生成された応答パケットを移動通信端末機２に転送し、移動通信端末機２は、ネットワーク３から前記応答パケットを受信する（Ｓ３６）。
【００２７】
前記応答パケットを受信した移動通信端末機２は、前記応答パケットが確認パケットであるか否かを判断する（Ｓ３７）。
【００２８】
移動通信端末機２は、前記の判断結果、前記受信された応答パケットが前記確認パケットであると、既にコンピュータ１の認証処理過程が終了したので、前記受信された応答パケット（即ち、確認パケット）を破棄し、前記受信された応答パケットが否定確認パケットであると、その事実をコンピュータ１のＰＰＰ認証モジュールに通知し、コンピュータ１の呼を終了する。
【００２９】
即ち、本発明による端末機を利用するダイアルアップネットワーク接続のための認証システム及びその方法においては、コンピュータ１が認証要求パケットに対する確認パケットを移動通信端末機２から、即ち、ＲＭインターフェース上で受信するため、認証要求パケットに対する確認パケットをネットワーク３から、即ち、ＵＭインターフェース上で受信する従来技術よりＲＴＴ値を短縮させることにより、認証処理速度を９０％以上改善することができる。ここで、前記ＲＴＴ値とは、コンピュータ１が認証要求パケットを転送してから前記認証要求パケットに対する確認パケットを受信するまでの時間をいう。
【００３０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３１】
ＵＭインターフェース上で必要とされるＲＴＴ値を、ＲＭインターフェース上で必要とされるＲＴＴ値に代替することにより、コンピュータのダイアルアップネットワーク接続サービスを利用するための認証時間を短縮できる、端末機を利用するダイアルアップネットワーク接続のための認証システム及びその方法を提供する。
【００３２】
端末機を利用するダイアルアップネットワーク接続のための認証システムは、認証を要求するコンピュータの認証ＩＤ及び認証パスワードを有する認証要求パケットをスヌープし、認証要求パケットに対する確認パケットを生成する端末機を含み、端末機を利用するダイアルアップネットワーク接続のための認証方法は、端末機が認証を要求するコンピュータから認証ＩＤ及び認証パスワードを有する認証要求パケットを受信する段階と、端末機が受信された認証要求パケットに対する確認パケットを生成する段階と、端末機が生成された確認パケットをコンピュータに転送する段階とを含む。
【図面の簡単な説明】
【００３３】
【図１】本発明による端末機を利用するダイアルアップネットワーク接続のための認証処理過程を示す説明図である。
【図２】本発明による端末機を利用するダイアルアップネットワーク接続のための認証方法を示すフローチャートである。
【図３】従来の端末機を利用するダイアルアップネットワーク接続のための認証処理過程を示す説明図である。
【符号の説明】
【００３４】
１  コンピュータ
２  移動通信端末機
３  ネットワーク
【図１】
2006067583.tif 000003
【図２】
2006067583.tif 000004
【図３】
2006067583.tif 000005